(57)【要約】      （修正有）【課題】水中でのアクションを損なうことなく、空中での飛行姿勢が安定するルアーを提供する。【解決手段】プレートを２枚重ねとすることでリップを構成し、それぞれのプレートの先端よりの部分を湾曲させて、先端が２つに分かれた形状とする。プレートの先端がルアーの水中での進行方向前方寄りに反るような形状とする。【選択図】図１
0003170727.tif 000002
【実用新案登録請求の範囲】
【請求項１】
ルアーのリップについて、プレートを２枚重ねとしてリップを構成し、それぞれのプレートを湾曲させて、先端が２つに分かれた形状としたリップを有するルアー。
【請求項２】
プレートを湾曲させる向きについて、プレートの先端がルアーの水中での進行方向前方寄りに反るような形状とした請求項１に記載のルアー。
【考案の詳細な説明】
【技術分野】
【０００１】  本考案は釣り具のルアーに関する。
【背景技術】
【０００２】  ミノータイプのルアーなど、リップを有するタイプのルアーを背景技術とする。
【考案の概要】
【考案が解決しようとする課題】
【０００３】  ルアーの水中でのアクションを損なうことなく、ルアーの空中での飛行姿勢を安定させることが、本考案の課題である。
【課題を解決するための手段】
【０００４】  プレートを２枚重ねとすることでリップを構成し、それぞれのプレートの先端よりの部分を湾曲させて、空力的な効果を生む。１枚のリップを湾曲させることによっても、同様の効果を得ることはできるのであるが、その効果は２枚の場合よりも弱く、また不十分であったりする。２枚にすることで、十分な効果を得る。
リップが１枚の場合に、その１枚を大きく湾曲させて空力的な効果を得ることを図ると、ルアーの水中でのアクションが悪くなる、あるいはアクションさせることが不可能となる。そこで、リップを２枚重ねとして、上の１枚を大きく湾曲させて空力的な効果を生み、下の１枚は、平らなままとするか、あるいは若干湾曲させて空力的な効果を助けると同時に、水中でのアクションのためのリップとして作用させる。
特に、本考案のリップは、可倒式のリップとして用いると効果的である。可倒式のリップとは、リップとルアー本体とをヒンジなどで接続し、キャスト時には、リップが倒れて、ルアー本体とおよそ平行となるようにしたタイプのリップである。
【考案の効果】
【０００５】  ルアーのキャスト時の飛行姿勢が安定する。すなわち、矢のように直線的にルアーが飛ぶようになる。そして飛距離が伸びる、正確なキャストができる、風の中で比較的飛距離が落ちない、などの効果が得られる。また、水中でのアクションが損なわれることがない。
【図面の簡単な説明】
【０００６】
【図１】  本考案の斜視図
【図２】  本考案のリップの側面図
【図３】  本考案のリップの実施例を示す斜視図
【図４】  本考案のリップの実施例を示す側面図
【考案を実施するための形態】
【０００７】  リップを２枚のプレートを重ねることにより構成する。リトリーブ時に、ルアーの進行方向側となるプレートを上のプレート１と呼び、その後側の配置となるプレートを下のプレート２と呼ぶこととする。側面から見たときに、上のプレート１は下のプレート２と接する面の反対側に湾曲させる。最も単純な形態としては、下のプレート２は平らなままとする。上のプレート１の湾曲の程度については、平らな下のプレート２に対して先端がおよそ垂直となる程度のときに、最大の空力的な効果が得られるように観察される。
上のプレート１だけで十分な空力的な効果が得られる場合には、水中でのアクションのために、下のプレート２は平らな状態のままがよい。しかし、ルアーが重くなったり大きくなったりした場合には、上のプレート１だけでは十分な空力的な効果が得られないこともあり、その際には、下のプレート２の先端付近を、下のプレート１と同じ向きに湾曲させることにより、空力的な効果を高める。
リップを可倒式とすることで、本考案のリップは最大の効果を得ることができる。
【実施例】
【０００８】  図１、図２に示す。リップの形状として、上のプレート１を短かめ、下のプレート２を長めとして、上のプレート１を大きくカールさせて、下のプレート２を緩くカールさせた形状である。こうすることで、上のプレート１は空力的に大きな効果を発揮し、下のプレート２は空力的な効果を助けると同時に、水中でのアクションのためのリップとしての作用を果たすことができる。
湾曲させる向きについては、リップの先端を上向きに湾曲させることにより、空中での飛行姿勢を安定させる高い効果が得られる。
図１において、ラインアイ４のあるほうがリトリーブ時に前方であり、フックアイ５のあるほうが後方である。リップの先端が前方を向くように湾曲させることで高い効果が得られる。リップを可倒式とした場合、図１においてリップは飛行時にラインアイ４に近づく形で倒れ、リップの先端は上向きとなる。
また、製作の手順にしたがって、２枚のプレートを重ねるとして説明したのであるが、２枚のプレートが接触している部分については、一体として成形してもよい。先端寄りの部分が２枚に分かれていることにより、効果が生まれる。
さらに、リップとルアー本体の接続部にヒンジを設けるなどして、キャスト時には、リップが倒れるようにすることで、本考案のリップの機能は十分に発揮される。特に、図１に示したようなミノータイプのボディにおいては、その傾向が顕著である。ディープクランクと呼ばれるようなタイプ、すなわち、リップがボディと平行に近い状態で設置されているようなタイプにおいては、固定式のリップでも、十分な空力的効果が得られる。
小さなルアー、軽いルアーにおいては、本考案により、十分な空力的効果を得ることが比較的容易であるのに対して、大きなルアー、重いルアーにおいては、それが難しくなる。基本的には、リップを大型可して、上のプレート１のカールした部分を大きくすることにより対処する。
また、図１、図２においては、平らなプレートを反らせることで製作した形状を示したが、窪みを設けたり、厚みをもたせたりするような形で、さらに立体的な形状もありうる。【０００９】  リップ上にラインアイを設ける。図１においては、ルアーのボディ本体の先端にラインアイ４が配置されているが、ラインアイをリップ上に設けることが有効な場合もある。【００１０】  リップの先端が２枚に分岐するのに対して、３枚以上としてもよい。多いほど効果が高まるという性質のものではないと観察されるし、２枚が最も効率的で効果的であると思われるのであるが、３枚以上としても同様の効果は得られる。【００１１】  図２に示したものは下のプレート２もカールしているが、下のプレート２は平らなままでもよい。上のプレート１だけで十分な空力的効果が得られる場合には、水中でのアクションのためには、下のプレート２は平らなままでよい。
また、下のプレート２は、上のプレート１よりも短くても機能する。その場合、上のプレート１のカールした部分よりも、少しだけ下のプレート２が突き出るような形状となるが、それでも同様の作用は得られる。ルアーの重量や大きさ、形状により上のプレート１と下のプレート２の長さ、大きさ、広さについては、加減することとなる。【００１２】  図３に示す。製作の方法として、１枚のリップの中にもう一つのひとまわり小さなリップを形成する形で切れ込みを入れて、その部分をカールさせることで、第２のリップを作る。図３においては、ひとまわり小さなリップが上のプレート１、外枠となっている部分が下のプレート２に相当する。【００１３】  図４に示す。下向きのリップ３を設ける。リップが上向きにカールしていると、リップが可倒式である場合、リップの先端が水面を向いたままとなることがある。そこで、リップを水中に引き込むために下向きのリップを設ける。下向きのリップ３は必ずしも必要なものではないが、リップが大型可した場合には、必要となる場合がある。【００１４】  ルアーのボディ本体に垂直フィンや水平フィンなどを設けることにより、本考案と合わせて、飛行時の高い安定性を得ることができる。それに加えて、リップを可倒式とする方法として本考案のリップに適した方法を用いることで、本考案の機能は理想的に実現される。
【産業上の利用可能性】
【００１５】  飛行機やロケット、あるいは弓矢など、飛行する物体全般に利用の可能性がある。あるいはレーシングカーや新幹線など、高速で走るものを安定させるのにも有効ではないか思われる。
【符号の説明】
【００１６】  １  上のプレート
２  下のプレート
３  下向きのプレート
４  ラインアイ
５  フックアイ
【図１】
0003170727.tif 000003
【図２】
0003170727.tif 000004
【図３】
0003170727.tif 000005
【図４】
0003170727.tif 000006